(57)【特許請求の範囲】
【請求項１】
水中膜の上部近傍部の両端部に、水中膜に対してそれぞれ直角方向にアームを設け、該アームに補助フロートを設け、かつ前記水中膜の上部近傍部の両端部にリングを設け、該リングを上下方向に設けられたガイドポールに挿通し、さらに該リングの下部に、ガイドポールに挿通した補助ブイを設けたことを特徴とする上下可動可能な水中膜の係留装置。
【請求項２】
水中膜の上部近傍部の両端部に、水中膜に対してそれぞれ直角方向にアームを設け、該アームに補助フロートを設け、かつ前記水中膜の上部近傍部の両端部にフロート状金具を設け、該フロート状金具を上下方向に設けられた、垂直にスリット状の切り欠き部を有する中空管内に挿入し、さらに該フロート状金具の下部に補助ブイを挿入したことを特徴とする上下可動可能な水中膜の係留装置。
【発明の詳細な説明】
【発明の詳細な説明】
【技術分野】
【０００１】  本発明は、水位の変化により上下に可動可能な水中膜の係留装置に関する。
【背景技術】
【０００２】  従来、ポンプ所・取水口・沈砂池等に展張されている水位の変化により上下に可動するオイルフェンス１等は、オイルフェンスの上部近傍にリング２を設け、このリングを護岸等に設けられたガイドポール３に挿通して設置されていた（図１参照）。また他の方法として護岸等に設けられた中空管４を用い、該中空管に垂直にスリット状の切り欠き部５を設け、該中空管内を摺動可能なフロート状金具６をオイルフェンス１の両端部に設けた装置が知られている（図２参照）。
さらに、水中膜の上部近傍部の両端部に、水中膜に対してそれぞれ直角方向（二方向）にアームを設け、該アームに補助フロートを設け、かつ前記水中膜の上部近傍部の両端部にリングを設け、該リングを、ガイドポールに挿通し、該ガイドポールを護岸等に固定してなる装置が知られている。
しかしながら図１のような装置はリングの重みで長時間の間に水平位置が保たれずに垂れさがった状態になり、また水流により水中膜が傾斜することによってリングが斜めになることからガイドポールとの間に摩擦力が増大して結果的にリングがガイドポールに引っかかる状態となり、水位の変化によって水中膜が上下に可動することが不可能となる欠点があった。
また、図２のような装置はフロート状金具６の浮力を増す方法として、フロート状金具６を長くすることや径を大きくすることが上げられるが、フロート状金具６を長くすると金具の重量が大きくなり、その結果、浮力の増加が小さいことや、該中空管４内のフロート状金具６がつかえる状態となり、水位の変化によって水中膜が上下に可動することが不可能となる。フロート状金具６の径を大きくすると浮力は増加するが、該中空管４の径も大きくなり、高価格になる欠点があった。
【発明の開示】
【発明が解決しようとする課題】
【０００３】  そこで本発明者は、急激な水位上昇によっても水中膜に設けられたリングがガイドポールに引っかからず、水中膜が上下にスムーズに可動する水中膜について種々研究を重ねた結果本発明を完成するに至った。
【課題を解決するための手段】
【０００４】  すなわち、本発明は、水中膜の上部近傍部の両端部に、水中膜に対してそれぞれ直角方向にアームを設け、該アームに補助フロートを設け、かつ前記水中膜の上部近傍部の両端部にリングを設け、該リングをガイドポールに挿通し、さらに該リングの下部に補助ブイをガイドポールに挿通して設け、前記ガイドポールを壁面等に固定してなる、水位の変化によって上下に可動可能な水中膜の係留装置である。
【発明の効果】
【０００５】  本発明方法によれば、水中膜は急激な水位上昇、また上下可動する場合にガイドポール３にリング１８が引っかかることもなく水位の変化に応じてスムーズに上下動を行うことができる。
また使用する補助ブイは、既設のガイドポール等を改良することなく設置が可能で、補助ブイも安価である。
【発明の実施するための最良の形態】
【０００６】  次に本発明をさらに詳細に説明するために図面を参照しながら説明するが、本発明は以下の説明のみに限定されるものではない。
【０００７】  図３Ｂは、本発明に係る水中膜の係留装置の一部を切り欠いた端部部分の側面図を示す。本発明の水中膜７は多数のフロート８をテンションゴムベルト９で挾着してフロート部１０を構成し、このフロート部１０の下部にカーテン１１を一体に設ける。フロート部１０の両端部（図３は左側部のみ）には取付金具１２によって該フロート部を挾持するように設ける。
フロート部１０に補助フロート体１３を設ける。このフロート体１３は、中心部にパイプ挿通口１４を有し、そこにパイプ１５を挿入する。このように構成したパイプ１５の上、下端をＬ字状のアーム１６の一端の直線部に一体に設け、そのＬ字状のアーム１６の他端の屈曲部をテンションベルト９に例えばボルトナットで一体に設ける。
【０００８】  本発明の水中膜の係留装置は水中膜の両端部の取付金具１２にシャックル１７を設け、このシャックル１７にリング１８を設け、このリング１８の下部に補助ブイ１９をガイドポール３に挿通して設ける。このように設けることによって補助ブイ１９が常にリング１８を水平状態で押し上げ、リング１８の垂れ下がりを防止する。
【０００９】  本発明の水中膜の係留装置はリング１８の下部に補助ブイ１９を設けることによって、リング１８を水平に保ちガイドポール３とリング１８との間の摩擦力を減らし、結果的にリング１８がガイドポール３に引っかからずに、急激な水位上昇においても可動可能な水中膜とすることができる。
【００１０】  本発明の水中膜の係留装置はシャックル１７を鎖２１によって取付金具１２に連結することによってシャックル１７の上下の変動を制御することができる。
【００１１】  本発明の水中膜の係留装置は水面上の浮遊物を岸壁と水中膜の隙間からの流出を防止するために例えば移流フィン２２を岸壁等に設ける。
尚、この移流フィン２２は、水中膜７のフロート８の一部と常に接している構造で、硬質性のゴムと軟質性のゴムを組み合わせたものが良い。
【００１２】  図３Ｂでは補助ブイ１９を１個装着する場合を示したが、複数個を多段に装着することもできる。これらの補助ブイ１９は球状、楕円状、円筒状それぞれ異なる形状のものも使用することができる。
【００１３】  図４では補助ブイ１９は、護岸等に設けられた該中空管４内を摺動可能なフロート状金具６を挿入し、フロート状金具６の下部に置くこともできる。フロート状金具６の下部に補助ブイ１９置くことでフロート状金具６の重量を増すことなく、浮力だけを増加することができ、既設の設備を変えることなく、安価に改良できる。
尚、取付金具１２に補助フロート体１３を設けてもよい。
【００１４】  図５では護岸等に移流フィン２２を設け、水面上の浮遊物が該中空管４と摺動可能なフロート状金具６の隙間に入り込みを防止することで、水位の変化によって水中膜が上下に可動することとなる。
また、オイルフェンス１に補助フロート体１３を設けてもよい。
【図面の簡単な説明】
【００１５】
【図１】従来の上下可動可能な水中膜の係留装置の一部を示す側面図
【図２】従来の上下可動可能な水中膜の係留装置における摺動部分を示した斜視図
【図３Ａ】本発明の水中膜の一部を示した平面図
【図３Ｂ】図３Ａの取付金具の側面図
【図４】本発明の補助ブイを摺動部分に挿入した態様を示した斜視図
【図５】本発明の補助ブイを摺動部分に挿入した他の態様を示した斜視図
【符号の説明】
【００１６】        ８・・・・・フロート
９・・・・・テンションゴムベルト
１１・・・・・カーテン
１８・・・・・リング
１９・・・・・補助ブイ
２０・・・・・補助フロート
【図１】
0004714824.tif 000002
【図２】
0004714824.tif 000003
【図３Ａ】
0004714824.tif 000004
【図３Ｂ】
0004714824.tif 000005
【図４】
0004714824.tif 000006
【図５】
0004714824.tif 000007